(57)【要約】【課題】横締めボルトの過度な締め付けによる挟持金具の変形発生を防ぎ、屋根上搭載機器の取付け作業の簡略化と屋根上搭載機器に対する歪み発生をなくすことができる屋根上搭載機器の取付け金具を提供する。【解決手段】一対の挟持金具２で金属屋根におけるハゼ締め部の根本首部を両側から挟むようにした屋根上搭載機器の取付け金具１であって、前記両挟持金具２の横締めボルト３を挟む上下の位置に、横締めボルト３の締め付けによって互いに当接する上部ストッパー１６と、同じく横締めボルト３の締め付けによって互いに当接する下部ストッパー１７を設け、挟持部１１で金属屋根におけるハゼ締め部の首部を挟持した時点で、前記上部ストッパー１６同士及び下部ストッパー１７同士がそれぞれ当接し、過剰締め付けによる挟持金具２の変形発生を防ぐ。【選択図】図１
2014098274.tif 000002
【特許請求の範囲】
【請求項１】
対峙させた一対の挟持金具を横締めボルトで結合し、この横締めボルトを締め付けることによって、両挟持金具の下部に設けた挟持部で、屋根上の有頭状部材や金属屋根におけるハゼ締め部の首部を両側から挟むようにした屋根上搭載機器の取付け金具において、前記両挟持金具の横締めボルトを挟む上下の位置に、上部ストッパーと下部ストッパーを設け、前記上部ストッパーと下部ストッパーは、横締めボルトの締め付けによって挟持部で屋根上の有頭状部材や金属屋根におけるハゼ締め部の根本首部を挟持した時点で、両挟持金具の上部ストッパー同士及び両挟持金具の下部ストッパー同士が互いに当接して過剰締め付けを防ぐようになっていることを特徴とする屋根上搭載機器の取付け金具。
【請求項２】
上記挟持金具は、上板と、この上板の前側縁から相手挟持金具の上板に重なるように延出する延長板と、前記上板の両側下部に位置する一対の側板と、前記上板の後側縁下部に位置する後板と、前記両側板と後板の下端で囲まれた部分に位置する底板と、一対の側板間で前側縁の上部位置に架設され、途中の位置に横締めボルトの挿通孔が設けられた結合用板と、前記底板の前側縁に設けた垂直面の挟持部からなり、前記結合用板の上縁に上部ストッパーと下縁に下部ストッパーがそれぞれ前方に向けて突出するよう設けられていることを特徴とする請求項１に記載の屋根上搭載機器の取付け金具。
【請求項３】
上記結合用板は、水平ボルトの挿通孔を設けた途中の位置に、結合した両挟持金具の上板上に起立配置する機器取付けボルトの頭部が収まる空間を確保する凹入部が形成され、この凹入部の上縁に上部ストッパーと下縁に下部ストッパーが設けられ、前記上部ストッパーは、中間位置に機器取付けボルトの頭部に対して外接するよう設けた回り止め用の切欠きによって二分されていることを特徴とする請求項１又は２に記載の屋根上搭載機器の取付け金具。
【発明の詳細な説明】
【技術分野】
【０００１】
この発明は、建物の屋根上に設けた有頭状部材や、金属屋根におけるハゼ締め部を利用して固定し、前記屋根上に各種屋根上搭載機器を取付けるために使用する取付け金具に関する。
【背景技術】
【０００２】
例えば、金属屋根の屋根上に、太陽電池モジュールのような屋根上搭載機器を搭載する場合、金属屋根のハゼ締め部に対して複数の取付け金具を固定し、この取付け金具の上面に機器の架台を載置し、取付け金具の上面に突設させた機器取付けボルトにナットを螺締めすることで、取付け金具と機器の架台を締結する方法が採用されている。
【０００３】
ところで、折板屋根のハゼ締め部に取付け金具を固定する方式の一つとして、左右一対の挟持金具を水平の横締めボルトとナットで結合し、この横締めボルトとナットを締め付けることによって、両挟持金具の下部に設けた挟持部で、屋根上の有頭状部材や金属屋根におけるハゼ締め部の根本首部を両側から挟んで固定する横締め方式がある。
【０００４】
従来から用いられている横締め方式の取付け金具は、左右で一対となる挟持金具が、上板の下部で内側縁の部分にハゼ締め部を挟持するための挟持部を設けて側面視コ字状に形成され、一方挟持金具における上板の上面に器機取付けボルトを起立状に取付け、両挟持金具を屋根上に載置してハゼ締め部を挟むように対峙させ、両挟持金具を横方向に貫通する横締めボルトにナットを螺合し、このナットを締め付けて両挟持金具を引き寄せることにより、両挟持金具の挟持部でハゼ締め部の根本部分を両側から挟んで固定する構造になっている（例えば、特許文献１参照）。
【０００５】
また、別の横締め方式の取付け金具は、両挟持金具を側面視Ｌ字状に形成し、上面に器機取付けボルトを起立状に取付けた下向きコ字状の天板材を両挟持金具の上部間で挟み込み、両挟持金具と天板材の重なり部分を貫通する横締めボルトにナットを螺合し、このナットを締め付けて両挟持金具を引き寄せることにより、両挟持金具の挟持部でハゼ締め部の根本部分を両側から挟んで固定する構造になっている（例えば、特許文献２参照）。
【先行技術文献】
【特許文献】
【０００６】
【特許文献１】特開２０１２−１２２２４０号公報
【特許文献２】実用新案登録第３１６７１６４号公報
【発明の概要】
【発明が解決しようとする課題】
【０００７】
ところで、上記特許文献１と２で示した横締め方式の取付け金具は、一対となる挟持金具の上部を、横締めボルトとこれに螺合したナットで締め付け、両挟持金具の下部に設けた挟持部でハゼ締め部の根本部分を両側から挟んで固定する構造になっているので、横締めボルトとナットの締め付け力が直接両挟持部のハゼ締め部挟持力として作用することになる。
【０００８】
しかしながら、取付け金具の固定時に横締めボルトとナットの締め付けによって常に適正な挟持力を得るには構造的に困難性があり、このため、ナットを余分に締め付けてハゼ締め部を過度に挟持すると、両挟持金具の横締めボルト貫通部分が過剰に引き寄せられることで内側へ撓もうとし、その結果、両挟持金具の上板や両挟持金具間の天板材が上方に向けて変形することになる。
【０００９】
上記のように、上板や天板材が上方に向けて変形すると、その上面に立設した器機取付けボルトの位置や向きが変動し、取付け金具上に対する屋根上搭載機器と前記器機取付けボルトの位置合わせ作業が困難になる。
【００１０】
また、上板や天板材が上方に向けて変形して上面の平面度が低下すると、この上面に載置した屋根上搭載機器の支持が不安定となり、屋根上搭載機器を固定する際に歪みが発生するという問題が生じることになる。
【００１１】
そこで、この発明の課題は、横締め方式の取付け金具において、横締めボルトとこれに螺合したナットによる過度な締め付けを防いで変形の発生をなくし、屋根上搭載機器の取付け作業の簡略化が図れると共に、上面に載置固定する屋根上搭載機器の歪み発生をなくすことができる屋根上搭載機器の取付け金具を提供することにある。
【課題を解決するための手段】
【００１２】
上記のような課題を解決するため、この発明は、対峙させた一対の挟持金具を横締めボルトで結合し、この横締めボルトを締め付けることによって、両挟持金具の下部に設けた挟持部で、屋根上の有頭状部材や金属屋根におけるハゼ締め部の首部を両側から挟むようにした屋根上搭載機器の取付け金具において、前記両挟持金具の横締めボルトを挟む上下の位置に、上部ストッパーと下部ストッパーを設け、前記上部ストッパーと下部ストッパーは、横締めボルトの締め付けによって挟持部で屋根上の有頭状部材や金属屋根におけるハゼ締め部の根本首部を挟持した時点で、両挟持金具の上部ストッパー同士及び両挟持金具の下部ストッパー同士が互いに当接して過剰締め付けを防ぐようにしたものである。
【００１３】
上記挟持金具は、上板と、この上板の前側縁から相手挟持金具の上板に重なるように延出する延長板と、前記上板の両側下部に位置する一対の側板と、前記上板の後側縁下部に位置する後板と、前記両側板と後板の下端で囲まれた部分に位置する底板と、一対の側板間で前側縁の上部位置に架設され、途中の位置に横締めボルトの挿通孔が設けられた結合用板と、前記底板の前側縁に設けた垂直面の挟持部からなり、前記結合用板の上縁に上部ストッパーと下縁に下部ストッパーがそれぞれ前方に向けて突出するよう設けられている構造とすることができる。
【００１４】
上記結合用板は、水平ボルトの挿通孔を設けた途中の位置に、結合した両挟持金具の上板上に起立配置する機器取付けボルトの頭部が収まる空間を確保する凹入部が形成され、この凹入部の上縁に上部ストッパーと下縁に下部ストッパーが設けられ、前記上部ストッパーは、中間位置に機器取付けボルトの頭部に対して外接するよう設けた切欠きによって二分されている構造としてもよい。
【００１５】
ここで、上記上部ストッパー及び下部ストッパーは、横締めボルトとナットを締め付けてハゼ締め部を挟持するとき、挟持部での適正な挟持に達した時点で相手上部ストッパー及び相手下部ストッパーと互いに当接し、これにより、ナットをそれ以上締め付けできないように停止させて過度な締め付けの発生を防止するとにより、両挟持金具の変形発生を防ぐことになる。
【００１６】
上記した挟持金具は、例えば、上板と延長板、側板、後板、底板を、一枚の帯状金属板から折り曲げることによって形成され、側板は前側縁の途中にハゼ締め部の頭部を逃がすために設けた切欠きによって側面視略コ字状になっており、上記挟持部は、側板の前側縁で切欠きよりも下部分と、底板の前側縁延長を上方へ垂直に折り曲げた挟持板とで形成され、この挟持部の前面である挟持面は垂直面になっている。
【００１７】
また、挟持金具の上板に対して延長板は、前後方向の中心線を挟んで左右片側の位置に配置され、両挟持金具を対峙させた状態で、延長板は相手挟持金具の上板の下に重なるよう、上板に対してその板厚分だけ下側に段付きの状態で設けられ、対峙させた両挟持金具の対峙方向に沿った接近離反動を誘導するようになっている。
【００１８】
上記一対の挟持金具は、互いに結合した状態で両上板間の中央部分で、機器取付けボルトの軸部を保持し、この機器取付けボルトの頭部を横締めボルトの軸部で支持することにより、機器取付けボルトを起立配置するようになっている。
【発明の効果】
【００１９】
この発明によると、横締め方式の取付け金具において、両挟持金具の横締めボルトを挟む上下の位置に、横締めボルトの締め付けによって互いに当接する上部ストッパーと互いに当接する下部ストッパーを設けたので、横締めボルトとナットを締め付けてハゼ締め部を挟持するとき、挟持部での適正な挟持に達した時点で対となる各ストッパーが互いに当接し、横締めボルトとナットをそれ以上締め付けられないようにして過度な締め付けの発生をなくし、これによって両挟持金具の変形発生を防ぐことができ、金属屋根のハゼ締め部に対して取付け金具を一定の固定強度で固定することができる。
【００２０】
また、両挟持金具の横締めボルトが貫通する部分を撓まないようにして変形発生を防ぐことで、両挟持金具における上板の平面状態を保つことができ、そのため、上面に起立配置する機器取付けボルトの位置精度が向上し、かつ、屋根上搭載機器を平面で支持することで載置状態が安定すると共に、屋根上搭載機器を機器取付けボルト、ナットで締め付けて固定する際に、屋根上搭載機器に歪みが出ず、仕上がりの品質が向上すると共に安全に施工することが可能になる。
【００２１】
更に、両挟持金具における上板の上面に起立配置する機器取付けボルトを、上部ストッパーに設けた切欠きによって回り止め状に保持するので、屋根上搭載機器を機器取付けボルトとナットで締め付けて固定する作業が円滑に行えることになる。
【図面の簡単な説明】
【００２２】
【図１】この発明に係る屋根上搭載機器の取付け金具を示す分解斜視図
【図２】この発明の取付け金具に用いる挟持金具の拡大した縦断側面図
【図３】図２の矢印ａ−ａに沿う挟持金具の横断平面図
【図４】図２の矢印ｂ−ｂに沿う挟持金具の横断平面図
【図５】この発明の取付け金具に用いる挟持金具の拡大した正面図
【図６】この発明の取付け金具に用いる挟持金具の拡大した背面図
【図７】（ａ）はこの発明の挟持金具における結合用板を示す前面側から見た斜視図、（ｂ）は同じく結合用板を示す背面側から見た斜視図
【図８】この発明の取付け金具を金属屋根のハゼ締め部に固定するための仮挟持状態を示す縦断側面図
【図９】この発明の挟持金具を一枚の金属板から折り曲げ加工する例を示す挟持金具の展開した平面図
【発明を実施するための形態】
【００２３】
以下、この発明の実施の形態を添付図面に基づいて説明する。
【００２４】
図１と図８のように、この発明の取付け金具１は、両側に対峙させた状態で金属屋根ａのハゼ締め部ｂを両側から挟む左右一対の挟持金具２と、両挟持金具２を結合して締め付けることにより、ハゼ締め部ｂの根本首部ｃに両挟持金具２を固定する横締めボルト３及びナット４と、結合した両挟持金具２間の上部に起立配置される機器取付けボルト５によって構成されている。
【００２５】
上記した一対の挟持金具２は共に等しい構造を有し、その前面側を対向させて対峙させた状態で横締めボルト３及びナット４で結合して使用するものであり、前記挟持金具２は、ハゼ締め部ｂの長さ方向に沿って長い平面長方形の上板６と、前記上板６の下部両端側に位置して対向する一対の側板７、７と、前記上板６の下部後側に位置する後板８と、前記後板８と側板７、７の下端で囲まれた部分に位置する底板９と、一対の側板７、７間で前側縁間の上部位置に架設された結合用板１０とからなり、この挟持金具２の前面下部がハゼ締め部ｂの根本首部ｃを挟むための挟持部１１に形成され、前記上板６の前側縁で一端側に偏った位置に、相手挟持金具の上板６に重なるように延出する矩形状の延長板１２が設けられている。
【００２６】
上記挟持金具２は、一対となる側板７、７の前側縁で上下の途中位置に、ハゼ締め部ｂの頭部ｄを逃がすために円弧状の切欠き１３を設け、この両側板７、７間の前側縁で切欠き１３よりも下の部分が挟持部１１になり、前記挟持部１１を形成する挟持板１４の前面でハゼ締め部ｂの根本首部ｃを両側の位置から挟持するようになっている。
【００２７】
上記挟持金具２の結合用板１０は、図５と図７のように、一対の側板７、７間で前側縁の上部位置に架設され、長さ方向の中間位置に横締めボルト３の挿通孔１５が設けられ、この結合用板１０の上縁に上部ストッパー１６と下縁に下部ストッパー１７がそれぞれ相手挟持金具２側に向けて前方に突出するように設けられている。
【００２８】
図２乃至図５と図７のように、上記結合用板１０は、その上面と上板６の下面との間に延長板１２の挿入隙間を確保した位置に架設され、横締めボルト３の挿通孔１５を設けた途中の位置に、相手挟持金具２と反対側に凹入し、結合した両挟持金具２の上板６上に起立配置する機器取付けボルト５の頭部５ａが収まる空間を確保する凹入部１８が形成され、この凹入部１８の上縁に上部ストッパー１６と下縁に下部ストッパー１７が設けられている。
【００２９】
上記した上部ストッパー１６は、機器取付けボルト５の頭部５ａに対して外接するよう中間位置に設けた切欠き１９によって二分され、前記上部ストッパー１６及び下部ストッパー１７の突出長さは、図２に示すように、挟持部１１における挟持板１４の前面に対して少し前方に突出した配置となり、両挟持金具２の挟持部１１が屋根上の有頭状部材や金属屋根におけるハゼ締め部ｂの根本首部ｃを適正に挟持した状態で、前記上部ストッパー１６及び下部ストッパー１７が相手と互いに当接するようになっている。
【００３０】
図７（ｂ）のように、上記結合用板１０の後面で挿通孔１５の周囲に複数の突起２０が設けられ、横締めボルト３の頭部３ａにおける周面がこの突起２０で囲まれた部分に係合状態で収まることにより、突起２０との係合で回り止め状態が得られるようにし、ナット４の締め付け操作が円滑に行えるようになっている。
【００３１】
上記挟持金具２の上板６に対して設けた延長板１２は、図１のように、一対の挟持金具２において、前後方向の中心線を挟んで左右片側の位置に、相手挟持金具２に向けて突出するよう設けられ、両挟持金具２を対峙させた状態で、延長板１２は相手挟持金具２の上板６の下に重なるよう、上板６に対してその板厚分だけ下側に段付きの状態で設けられ、この延長板１２を相手挟持金具２の下に重ねて両挟持金具２を対峙させれば、両挟持金具２を上下及び巾方向に結合すると同時に、対峙方向に沿った接近離反動を誘導することになる。
【００３２】
なお、上板６の前側縁で巾方向の中央位置には、機器取付けボルト５の軸部５ｂを保持する半円の切り欠き２１が設けられ、また、図示の場合、挟持金具２の下部は、金属屋根ａの傾斜に合わせて前側に向けて上り傾斜状としたが、金属屋根ａの条件に合わせて挟持金具２の下部を水平に形成してもよい。
【００３３】
また、金属屋根ａの場合において、取付け金具１を取付ける図示例のハゼ締め部ｂは一例であり、立平ぶきの立てハゼだけでなく蟻掛ぶきの蟻ハゼであってもよい。
【００３４】
図示の場合、挟持金具２は、所定の強度が得られる厚みを有する一枚の金属板から折り曲げ加工することにより組み立て、加工コストの低減を図ることができるようにした例を示し、この場合、前記上板６と後板８は組み立てた挟持金具２における巾方向の中心線に沿って両側に二分割され、分割上板６ａ、６ａと分割後板８ａ、８ａとなり、一枚の金属板を打ち抜く加工時に、必要な部分に切り欠きや突起、曲げ形状を付与することができることになる。
【００３５】
図９は、一枚の金属板を打ち抜いた折り曲げ加工前の挟持金具２の展開図を示し、所定間隔で両側対称の配置となる一対の矩形状側板７、７を、上部の結合用板１０と下部の挟持板１４で接続し、結合用板１０の上下に上部ストッパー１６及び下部ストッパー１７連成し、側板７、７の内縁で結合用板１０と挟持板１４の間に切欠き１３を設け、前記両側板７、７の上縁に矩形状の分割上板６ａ、６ａを連ねて設け、両側板７、７の外縁に下部が狭巾となる分割後板８ａ、８ａを連成し、前記横長の挟持板１４と矩形状の底板９は連続した一枚板とし、一方分割上板６ａの上部に位置する内側縁に延長板１２が設けられている。
【００３６】
挟持金具２の折り曲げ加工は、結合用板１０の上部ストッパー１６及び下部ストッパー１７を前方へ向くよう直角に折り曲げ、結合用板１０と挟持板１４に対して両側の側板７、７を後方へ直角に折り曲げ、両側板７、７に対して分割上板６ａと分割後板８ａをそれぞれ内側へ直角に折り曲げ、更に、挟持板１４に対して底板９を後方へ直角に折り曲げ、前記分割上板６ａ、６ａ同士と分割後板８ａ、８ａ同士を突き合わせ、両側板７、７及び後板８の下端部と底板９を当接させることにより行い、図１に示すような挟持金具２を組み立てることができる。
【００３７】
上記両分割上板６ａ、６ａの互いに突き合わせた内側縁、分割上板６ａの外側端と分割後板８ａの上端の突き合わせ部分、側板７及び後板８の下端と底板９の側縁の突き合わせ部分は、単に当接させただけでもよいが、この当接部分を溶接により固定して強度向上を図るようにしてもよく、また、底板９の前側縁に位置する挟持板１４は、両端が両側板７、７に達する長さを有し、その前面である挟持面が垂直となるように形成され、更に、後板８は分割後板８ａ、８ａによって巾方向の中央部に下部広がりの窓孔２２を形成し、この窓孔２２の部分から横締めボルト３及びナット４の締め付け作業が行えるようにしている。
【００３８】
この発明の取付け金具１は、上記のような構成であり、次に、この取付け金具１を金属屋根ａにおけるハゼ締め部ｂに対して固定する取付け方法を説明する。
【００３９】
図８のように、一対の挟持金具２を前面側が対向するよう対峙させ、延長板１２を相手上板６の下に挿入して接近させた状態で、一方結合用板１０の挿通孔１５から他方結合用板１０の挿通孔１５に横締めボルト３を挿通し、この横締めボルト３にワッシャとスプリングワッシャ２３を挿入してナット４を螺合し、一対の挟持金具２を仮結合して取付け金具１を組み立てる。
【００４０】
上記した組み立て時に、頭部３ａを下にした機器取付けボルト５を両挟持金具２の上板６間に位置させ、接近させた上板６の切り欠き２１で軸部５ｂを保持することにより、上板６の上面に起立するように取付ける。この機器取付けボルト５は、その頭部５ａが横締めボルト３の軸部３ｂで落下しないように支持され、頭部５ａの外周は上部ストッパー１６に設けた前広がりとなる切欠き１９内に回り止め状に収まる。
【００４１】
上記のように、両挟持金具２を横締めボルト３とナット４で結合して取付け金具１を予め仮結合状態にしておけば、金属屋根ａ上での作業能率の向上が図れることになる。
【００４２】
仮結合した取付け金具１を金属屋根ａにおけるハゼ締め部ｂの直上に臨ませ、両挟持金具２の挟持部１１間をハゼ締め部ｂに上部から押込み、ハゼ締め部ｂに対して被せるようにし、両挟持金具２の底板９を金属屋根ａの上面に当接させた仮取付け状態とする。
【００４３】
次に、横締めボルト３のナット４を締め付け、両挟持金具２を引き寄せて接近させると、図８のように、両者の挟持部１１がハゼ締め部ｂの根本首部ｃを両側から挟んだ仮挟持状態になる。
【００４４】
なお、上記横締めボルト３は、結合用板１０に設けた突起２０に頭部３ａの外周が係合することで回り止めとなり、共回りの発生がないのでナット４の締め付け作業が円滑に行えることになる。
【００４５】
図８の仮挟持状態から上記横締めボルト３とナット４を更に締め付けると、両挟持金具２が引き寄せられて同図における挟持部１１が互いに接近し、この挟持部１１でハゼ締め部ｂの根本首部ｃを両側から挟み込んで密接した本挟持状態（図示省略）となり、このような上記横締めボルト３とナット４の締め付けによるハゼ締め部ｂの本挟持状態において、図８のように開いた位置関係にあった結合用板１０の下部ストッパー１７は、挟持部１１によってハゼ締め部ｂの根本首部ｃを適正な挟持に達した時点で相手下部ストッパー１７と互いに当接し、これと同時に上部ストッパー１６も相手上部ストッパー１６と互いに当接し、これによって、横締めボルト３に対するナット４の締め付けに大きな抵抗が生じることで、適正な挟持が得られたことを知ることができ、この時点でナット４の締め付けを停止させ、両挟持金具２の過度な締め付けの発生を防止するとにより、両挟持金具２の変形発生を防ぐことができるようにしている。
【００４６】
上記のように、上部ストッパー１６と下部ストッパー１７によって、両挟持金具２に対する過剰締め付けの発生を防ぎ、両挟持金具２の挟持部１１でハゼ締め部ｂの根本首部ｃを両側から適正な挟持力で挟むことで、ハゼ締め部ｂに対する取付け金具１の本固定状態が得られ、このようにして、ハゼ締め部ｂの長さ方向の複数箇所に取付け金具１を固定した状態とし、屋根上搭載機器の架台を取付け金具１上に臨ませ、この架台に設けてあるボルト孔を機器取付けボルト５の軸部５ｂに挿入することで、取付け金具１の上面がフラットな上板６の上に架台を載置し、複数の取付け金具１で架台を支持する。
【００４７】
上記のように、両挟持金具２は、金属屋根ａのハゼ締め部ｂの根本首部ｃに対して両側から等しい位置を挟むので、ハゼ締め部ｂの根本首部ｃを変形や損傷させることがなく、しかも、垂直でハゼ締め部ｂの長さ方向に沿って長い挟持面による挟持によって強固な挟持力が得られることで、ハゼ締め部ｂの長さ方向や上下方向への滑り発生がなく、ハゼ締め部ｂに対して取付け金具１を強固に固定することができ、重量のある屋根上搭載機器の支持が可能になる。
【００４８】
この後、機器取付けボルト５の軸部５ｂに上からナットを螺合して締め付け、取付け金具１に対して架台を固定すればよく、機器取付けボルト５は頭部５ａが上部ストッパー１６の切り欠き１９に収まっていることで回り止めとなり、ナットの締め付け作業が円滑に行え、前記取付け金具１と架台を介して金属屋根ａ上に、例えば、太陽電池モジュールのような屋根上搭載機器を取付けることができる。
【００４９】
上記金属屋根ａのハゼ締め部ｂに対する取付け金具１の固定状態において、挟持金具２は、金属板を用いた側板７、７の途中に切り欠き１３を設け、この切り欠き１３の下部に挟持部１１が位置しているので、側板７、７は細くなった部分でその下部が挟持方向に対して弾性を有することになり、挟持部１１はハゼ締め部ｂの根本首部ｃを適正な力で挟持した状態で、ハゼ締め部ｂを弾力的に挟持することができ、挟持部分に緩みの発生をなくして所定の挟持力を長期にわたって維持することができる。
【符号の説明】
【００５０】
１      取付け金具
２      挟持金具
３      横締めボルト
４      ナット
５      機器取付けボルト
６      上板
７      側板
８      後板
９      底板
１０    結合用板
１１    挟持部
１２    延長板
１３    切欠き
１４    挟持板
１５    挿通孔
１６    上部ストッパー
１７    下部ストッパー
１８    凹入部
１９    切欠き
２０    突起
２１    切欠き
２２    窓孔
２３    ワッシャ
ａ      金属屋根
ｂ      ハゼ締め部
ｃ      根本首部
ｄ      頭部
【図１】
2014098274.tif 000003
【図２】
2014098274.tif 000004
【図３】
2014098274.tif 000005
【図４】
2014098274.tif 000006
【図５】
2014098274.tif 000007
【図６】
2014098274.tif 000008
【図７】
2014098274.tif 000009
【図８】
2014098274.tif 000010
【図９】
2014098274.tif 000011